(57)【要約】      （修正有）【課題】複数の組み合わせ体と、複数の組み合わせ具と、を含む環状組み合わせ式玩具を提供する。【解決手段】環状組み合わせ式玩具１は、環状構造を形成し、複数の第１接続部１１１を有する複数の組み合わせ体１１と、二つの接続構造１２１と、一つの屈折部１２２とを有し、かつ、接続構造１２１が屈折部１２２を介して互いに繋がれて形成され、接続構造１２１が第１接続部１１１に対応してそれぞれ第２接続部１２１１を備える複数の組み合わせ具１２と、を含む。複数の組み合わせ具１２のいずれかの第２接続部１２１１をそれぞれ複数の組み合わせ体１１のうちいずれか二つの組み合わせ体１１の第１接続部１１１に締結することにより、組み合わせ体１１と組み合わせ具１２とを使用者が繋ぎ合わせることができる。幼児が玩具遊びによって怪我をするおそれはなく、さらに、保護者らは安心して幼児を自由に繋ぎ合わせて遊ばせることができる。【選択図】図１
0003215901.tif 000002
【実用新案登録請求の範囲】
【請求項１】
複数の組み合わせ体と、複数の組み合わせ具とを含む、環状組み合わせ式玩具であって、
前記複数の組み合わせ体が環状構造を形成し、前記組み合わせ体は、複数の第１接続部を有し、
前記複数の組み合わせ具のそれぞれは、二つの接続構造と、一つの屈折部とを有し、前記接続構造が前記屈折部を介して互いに繋がれて前記組み合わせ具を形成し、前記接続構造が前記第１接続部に対応してそれぞれ第２接続部を備え、
前記複数の組み合わせ具のいずれかの前記第２接続部をそれぞれ前記複数の組み合わせ体のうちいずれか二つの組み合わせ体の前記第１接続部に締結することにより、前記組み合わせ体と前記組み合わせ具とを使用者が繋ぎ合わせることができるように提供することを特徴とする、環状組み合わせ式玩具。
【請求項２】
前記第１接続部は所定の間隔をおいて設けられ、前記第１接続部の間の領域をそれぞれ突き出させて位置制限部が形成されていることを特徴とする、請求項１に記載の環状組み合わせ式玩具。
【請求項３】
前記組み合わせ体の外径が９０〜１０５ミリメートルであり、
前記組み合わせ具の長さが６５〜７５ミリメートルであり、
前記組み合わせ具の幅が５０〜５５ミリメートルであることを特徴とする、請求項２に記載の環状組み合わせ式玩具。
【請求項４】
使用するときに、前記複数の組み合わせ体のうちいずれか二つの組み合わせ体の環状に形成された中空領域に一つのボール型重ね具を配置し、該ボール型重ね具を介して、前記組み合わせ体を互いに重ね合わせた状態に形成できることを特徴とする、請求項２に記載の環状組み合わせ式玩具。
【請求項５】
前記組み合わせ体の内径が３０〜３５ミリメートルであり、
前記組み合わせ体の厚みが３５〜４０ミリメートルであることを特徴とする、請求項４に記載の環状組み合わせ式玩具。
【請求項６】
前記組み合わせ体の外径が９０〜１０５ミリメートルであり、
前記組み合わせ具の長さが６５〜７５ミリメートルであり、
前記組み合わせ具の幅が５０〜５５ミリメートルであることを特徴とする、請求項５に記載の環状組み合わせ式玩具。
【請求項７】
前記ボール型重ね具の直径が５５〜７０ミリメートルであることを特徴とする、請求項６に記載の環状組み合わせ式玩具。
【請求項８】
前記第２接続部が凹み溝状に形成されており、かつ、前記第２接続部の開口方向が反対であることを特徴とする、請求項１〜７のいずれか１項に記載の環状組み合わせ式玩具。
【請求項９】
前記第２接続部が凹み溝状に形成されており、かつ、前記第２接続部の開口方向が同じであることを特徴とする、請求項１〜７のいずれか１項に記載の環状組み合わせ式玩具。
【考案の詳細な説明】
【技術分野】
【０００１】
本考案は組み合わせ式玩具の分野に関し、特に幼児が希望するスタイルに組み合わせることができるほか、組み立てて遊ぶ際にけがをする心配がない、環状組み合わせ式玩具に関する。
【背景技術】
【０００２】
幼児の創意と思考力、想像力や創造力等の特質を育てるために、保護者らは幼児が自由に組み合わせることができる玩具を購入する。さらに、この種の玩具でよく見かける態様としてはパズルや積み木がある。
【考案の概要】
【考案が解決しようとする課題】
【０００３】
一般に市販のパズルボードは、通常ベース部に多くの穴が開けられていて、異なる形状の複数の部材を穴に挿入して、パズルの効果が形成される。しかしながら、この種のパズルボードは、ベース部の体積が小さすぎて、外側へさらに延長して繋ぎ合わせることはできず、使用者が特定の形状を並べることしか出来ず、面白さがやや不足しており、創造力や想像力の向上は期待できない。
【０００４】
さらに、市販されている積み木は、一般的に体積が小さく、しかも、ほとんどが尖った角を有しており、幼児が遊ぶときは、不注意により尖った角によってけがをすることがある。そのため、保護者は常に幼児の遊ぶときに見張っていちいち注意しなければならないことから、幼児が自由に遊ぶことが出来ず、保護者がくつろぐ時間も限定される。
【０００５】
この点について、考案者は足りていないところを鋭意研究し、かかる産業における長年蓄積された経験をもとに、本考案の環状組み合わせ式玩具を考案し、前述した公知技術の欠点の改善を図ろうとするものである。
【課題を解決するための手段】
【０００６】
本考案の一目的は、幼児が遊ぶときにけがをしにくく、保護者も安心して自由に遊ばせることができる環状組み合わせ式玩具を提供することにある。
【０００７】
前述の目的を達成するため、本考案の環状組み合わせ式玩具は、環状構造を形成し、複数の第１接続部を有する複数の組み合わせ体と、二つの接続構造と、一つの屈折部とを有し、かつ、前記接続構造が前記屈折部を介して互いに繋がれて形成され、前記接続構造が前記第１接続部に対応してそれぞれ第２接続部を備える複数の組み合わせ具と、を含む。前記複数の組み合わせ具のいずれかの前記第２接続部をそれぞれ前記複数の組み合わせ体のうちいずれか二つの組み合わせ体の前記第１接続部に締結することにより、前記組み合わせ体と前記組み合わせ具とを使用者が繋ぎ合わせることができるように提供する。このように、尖った角を有しない環状設計とすることにより、使用者が遊ぶときにけがをしにくい。
【０００８】
前記第１接続部は所定の間隔をおいて設けられ、前記第１接続部の間の領域にそれぞれ突き出させて位置制限部が形成されていてもよく、これにより第２接続部を締結した際に滑って動くことを避けることができる。
【０００９】
好ましくは、使用するときに、前記複数の組み合わせ体のうちいずれか二つの組み合わせ体の環状に形成された中空領域に一つのボール型重ね具を配置し、該ボール型重ね具を介して前記組み合わせ体を互いに重ね合わせた状態に形成できるようにしてもよく、これにより本考案の環状組み合わせ式玩具を平面状態から立体状態に仕立てることができる。
【００１０】
好ましくは、前記組み合わせ体の内径が３０〜３５ミリメートルであり、かつ、前記組み合わせ体の厚みが３５〜４０ミリメートルであるように形成して、上下にボール型重ね具を重なるときに、互いにぶつかることを避けてもよい。
【００１１】
好ましくは、前記組み合わせ体の外径が９０〜１０５ミリメートルであり、かつ、前記組み合わせ体の長さが６５〜７５ミリメートルであり、前記組み合わせ体の幅が５０〜５５ミリメートルであるように形成して、幼児が飲み込んでしまうことを避けてもよい。
【００１２】
好ましくは、前記ボール型重ね具の直径が５５〜７０ミリメートルであるように形成して、幼児が飲み込んでしまうことを避けてもよい。
【００１３】
一つの実施例において、前記第２接続部が凹み溝状に形成されており、かつ、前記第２接続部の開口方向が反対であるように設けてもよく、これにより繋ぎ合わせた後の外観の多元化が図られる。
【００１４】
別の実施例において、前記第２接続部が凹み溝状に形成されており、かつ、前記第２接続部の開口方向が同じであるように設けてもよく、これにより繋ぎ合わせた後の外観の多元化が図られる。
【００１５】
本考案の体積と形状設計を適用した環状組み合わせ式玩具によれば、幼児は玩具遊びによって怪我をするおそれがなく、誤って飲み込むおそれもない。さらに、保護者らは安心して幼児を自由に繋ぎ合わせて遊ばせることができ、幼児の想像力と創造力を育てることができる。さらに、本考案の環状組み合わせ式玩具とボールプールにあるボール型重ね具を互いに組み合わせて、本考案の環状組み合わせ式玩具を立体的に組み合わせた状態に仕立てることができ、遊戯性と趣味性を大幅に向上することができる。
【図面の簡単な説明】
【００１６】
【図１】本考案の第１実施例による分解図である。
【図２】本考案の第１実施例による使用態様図である。
【図３】本考案の第１実施例におけるもう一つの実施態様による分解図である。
【図４】本考案の第２実施例による使用態様図である。
【図５】本考案の第２実施例による局所断面図である。
【考案を実施するための形態】
【００１７】
審査官の方々が本考案の内容のさらなる理解を図るため、図面を参照しながら以下に実施例を説明する。
【実施例１】
【００１８】
図１の本考案の第１実施例による分解図と、図２の使用態様図とを参照する。図に示すように、本考案の環状組み合わせ式玩具１は、複数の組み合わせ体１１と、複数の組み合わせ具１２とを含む。複数の組み合わせ体１１は環状構造を形成し、好ましくはそれらの組み合わせ体１１の外径Ｒが９０〜１０５ミリメートルであり、各組み合わせ体１１は複数の第１接続部１１１を有する。複数の組み合わせ具１２の長さＬは６５〜７５ミリメートルであり、幅Ｗは５０〜５５ミリメートルが好ましい。各組み合わせ具１２は二つの接続構造１２１と、一つの屈折部１２２とを有しており、かつ、それらの接続構造１２１が屈折部１２２を介して互いに繋がれることにより組み合わせ具１２が形成され、それらの接続構造１２１には第１接続部１１１に対応してそれぞれ第２接続部１２１１が設けられている。
【００１９】
本実施例において、第１接続部１１１は所定の間隔をおいて設けられており、第１接続部１１１の間の領域においてそれぞれ突き出した位置制限部１１２が形成されている。第２接続部１２１１は凹み溝状に形成されており、かつ、第２接続部１２１１の開口方向は互いに反対側に設けられている。
【００２０】
使用する際、幼児はいずれか一つの組み合わせ具１２の第２接続部１２１１をそれぞれいずれか二つの組み合わせ体１１の第１接続部１１１に締結することによって、組み合わせ体１１と組み合わせ具１２とを繋ぎ合わせて、様々なスタイルを形成する。位置制限部１１２を取り付けて両者の結合をより安定させれば、滑って動いてしまうことにより全体の構造が崩れるおそれがなくなる（図２に示す）。さらに、特別に設計された体積とサイズにより、幼児が組み合わせ具１２または組み合わせ体１１を口に入れて飲み込むおそれはなく、さらに、組み合わせ体１１全体が環状構造に形成される組み合わせ具１２の設計により、幼児が遊ぶときに怪我をするおそれはなく、遊戯の安全性を大幅に向上させることができる。
【００２１】
続いて、図３の本考案の第１実施例のもう一つの実施態様による分解図を参照する。図に示すように、上述の実施態様に比べて、この実施例は、第２接続部１２１１が凹み溝状に形成されており、かつ、第２接続部１２１１の開口方向が同じであるように配置されており、繋ぎ合わせ方法は図示のとおりである。そのため、締結の態様も異なっており、幼児は様々な組立方向により、一味違う繋ぎ合わせの愉しさを楽しむことができる。
【実施例２】
【００２２】
図４の本考案の第２実施例による使用態様図と図５の局所断面図とを参照する。図に示すように、第１実施例に比べ、本実施例においては使用する際、いずれか二つの組み合わせ体１１の環状構造の中空領域にボール型重ね具１３を配置し、ボール型重ね具１３を介して組み合わせ体１１を互いに重ね合わせる態様に仕立てる。図４に示す組み立て後の状態は一種のタワーのようであり、ボール型重ね具１３の直径ｒは例えば５５〜７０ミリメートルとすることで、幼児がボールを飲み込むことを回避する。さらに、組み合わせ体１１の内径Ｄは３０〜３５ミリメートルとし、組み合わせ体１１の厚さＴは３５〜４０ミリメートルとする設計により、互いに重ね合わせた後、上下に位置するボール型重ね具１３がぶつかりことを避け、重ね合わせた態様をよりきれいに仕上げることができる。
【００２３】
このような使用方法によれば、幼児がボールプールで遊ぶときに、ボールプールにあるボール型重ね具１３を利用して遊ぶことができるほか、それらのボール型重ね具１３を利用して、本考案の環状組み合わせ式玩具１を重ね合わせた態様に仕上げて、幼児がボールプールで遊ぶときに、より多元的な遊びの態様が得られるほか、遊びを通じて立体空間の概念を植え付け、幼児の想像力と創造力を向上させることができる。
【００２４】
以上に述べた通リ、本考案は、幼児が遊ぶときにけがをすることがなく、幼児が誤って飲み込むおそれがない環状組み合わせ式玩具１を提供することができるほか、幼児の遊びを通じて、想像力、創造力及び空間概念を育てることができる。
【００２５】
以上に説明したものは、本考案の好ましい実施例に過ぎず、本考案の権利範囲に制限を加えるものではない。本考案の趣旨と範囲を逸脱しない限り、いかなる均等な変化や修飾を行ったものも本考案の権利範囲に含まれる。
【符号の説明】
【００２６】
１        環状組み合わせ式玩具
１１      組み合わせ体
１１１    第１接続部
１１２    位置制限部
１２      組み合わせ具
１２１    接続構造
１２１１  第２接続部
１２２    屈折部
１３      ボール型重ね具
Ｒ  組み合わせ体の外径
Ｄ  組み合わせ体の内径
Ｔ  組み合わせ体の厚さ
Ｌ  組み合わせ具の長さ
Ｗ  組合せ具の幅
ｒ  ボール型重ね具の直径
【図１】
0003215901.tif 000003
【図２】
0003215901.tif 000004
【図３】
0003215901.tif 000005
【図４】
0003215901.tif 000006
【図５】
0003215901.tif 000007